(57)【要約】【課題】進入禁止標識の誤報知及び誤報知の継続を防止することができる運転支援装置を提供すること。【解決手段】自車両１の前方の画像を撮像する撮像部２と、撮像部２の撮像した画像から道路標識を認識する認識処理部６４と、道路標識に関する情報を乗員に報知させる出力処理部６５と、を備え、出力処理部６５は、進入禁止標識または一方通行標識に関する報知を行なっているときに認識処理部６４によって自車両１の通行を禁止する特定標識以外の道路標識が認識されると、進入禁止標識または一方通行標識に関する報知を終了または変更する。【選択図】図１
2019212190.tif 000002
【特許請求の範囲】
【請求項１】
自車両の前方の画像を撮像する撮像部と、
前記画像から道路標識を認識する認識処理部と、
前記道路標識に関する情報を乗員に報知させる出力処理部と、を備えた運転支援装置であって、
前記出力処理部は、進入禁止標識または一方通行標識に関する報知を行なっているときに前記認識処理部によって前記自車両の通行を禁止する特定標識以外の道路標識が認識されると、前記進入禁止標識または前記一方通行標識に関する報知を終了または変更する運転支援装置。
【請求項２】
前記出力処理部は、前記進入禁止標識または前記一方通行標識を含む複数の前記道路標識に関する報知を行なっている場合、所定の報知終了条件を満たすと全ての前記道路標識に関する報知を終了し、前記認識処理部によって前記特定標識以外の道路標識が認識されると前記進入禁止標識または前記一方通行標識に関する報知のみを終了または変更する請求項１に記載の運転支援装置。
【請求項３】
前記報知終了条件とは、前記自車両が進路変更したこと、または、道路リンクが変わったこと、である請求項２に記載の運転支援装置。
【請求項４】
前記特定標識は、進入禁止標識、通行止めに関する道路規制標識、前記自車両の進行方向と反対方向のみの進行を許可する一方通行標識、のうち少なくとも１つ以上を含む請求項１から請求項３のいずれか１項に記載の運転支援装置。
【請求項５】
自車両の前方の画像を撮像する撮像部と、
前記画像から道路標識を認識する認識処理部と、
前記自車両の走行する道路区間の規制情報を判断する規制情報判断部と、を備えた運転支援装置であって、
前記規制情報判断部は、現在の前記自車両が走行する道路区間が前記自車両の走行を規制する道路区間であると判定している際に前記認識処理部によって前記自車両の通行を禁止する特定標識以外の道路標識が認識されると、前記自車両が走行する道路区間が前記自車両の走行を規制する道路区間でないと判定する運転支援装置。
【発明の詳細な説明】
【技術分野】
【０００１】
本発明は、運転支援装置に関する。
【背景技術】
【０００２】
特許文献１には、進入禁止標識を検出すると、その標識の設置位置や向きに基づいてドライバに報知するか否かを決定することが開示されている。
【先行技術文献】
【特許文献】
【０００３】
【特許文献１】特開２０１７−１０２６６５号公報
【発明の概要】
【発明が解決しようとする課題】
【０００４】
しかしながら、特許文献１に記載のもののように、カメラによって進入禁止標識を検出し、運転者に報知する場合、進入禁止標識でない物体を誤って進入禁止標識として検出してしまい、誤報知をしてしまうことがある。
【０００５】
このような場合、そもそも進入禁止標識が存在していないため、設置位置や向きの判断が正しかったとしても誤報知することとなり、改善が望まれている。
【０００６】
そこで、本発明は、進入禁止標識の誤報知及び誤報知の継続を防止することができる運転支援装置を提供することを目的としている。
【課題を解決するための手段】
【０００７】
上記課題を解決するため本発明は、自車両の前方の画像を撮像する撮像部と、前記画像から道路標識を認識する認識処理部と、前記道路標識に関する情報を乗員に報知させる出力処理部と、を備えた運転支援装置であって、前記出力処理部は、進入禁止標識または一方通行標識に関する報知を行なっているときに前記認識処理部によって前記自車両の通行を禁止する特定標識以外の道路標識が認識されると、前記進入禁止標識または前記一方通行標識に関する報知を終了または変更するものである。
【発明の効果】
【０００８】
このように、本発明によれば、進入禁止標識の誤報知及び誤報知の継続を防止することができる。
【図面の簡単な説明】
【０００９】
【図１】図１は、本発明の一実施例に係る運転支援装置のブロック図である。
【図２】図２は、本発明の一実施例に係る運転支援装置の報知部の表示例を示す図である。
【図３】図３は、本発明の一実施例に係る運転支援装置の特定標識の例を示す図である。
【図４】図４は、本発明の一実施例に係る運転支援装置の進入禁止標識報知処理の手順を示すフローチャートである。
【図５】図５は、本発明の一実施例に係る運転支援装置の進入禁止標識報知終了処理の手順を示すフローチャートである。
【図６】図６は、本発明の一実施例に係る運転支援装置の進入禁止標識報知処理及び進入禁止標識報知終了処理による効果を説明するための図である。
【図７】図７は、本発明の一実施例に係る運転支援装置の複数の進入禁止標識認識処理の効果の第１の例を示す図である。
【図８】図８は、本発明の一実施例に係る運転支援装置の複数の進入禁止標識認識処理の効果の第２の例を示す図である。
【発明を実施するための形態】
【００１０】
本発明の一実施の形態に係る運転支援装置は、自車両の前方の画像を撮像する撮像部と、画像から道路標識を認識する認識処理部と、道路標識に関する情報を乗員に報知させる出力処理部と、を備えた運転支援装置であって、出力処理部は、進入禁止標識または一方通行標識に関する報知を行なっているときに認識処理部によって自車両の通行を禁止する特定標識以外の道路標識が認識されると、進入禁止標識または一方通行標識に関する報知を終了または変更するよう構成されている。
【００１１】
これにより、本発明の一実施の形態に係る運転支援装置は、進入禁止標識の誤報知及び誤報知の継続を防止することができる。
【実施例】
【００１２】
以下、図面を参照して、本発明の実施例に係る運転支援装置について詳細に説明する。
図１において、本発明の一実施例に係る運転支援装置を搭載した車両１は、撮像部２と、報知部３と、通信部４と、地図情報管理部５と、制御部６とを含んで構成される。
【００１３】
撮像部２は、例えば、カメラなどにより構成され、車両１の前方を撮像する。撮像部２は、撮像した画像を制御部６に出力する。
【００１４】
報知部３は、例えば、モニタ装置、スピーカ、ランプ、メータ、ブザーなどで構成され、視覚、聴覚などを通じて各種情報を運転者に報知する。
【００１５】
通信部４は、車両外部のサーバ装置や道路近辺に設置された路側通信装置などと通信して、情報を送受信する。
【００１６】
地図情報管理部５は、ＣＰＵ（Central Processing Unit）と、ＲＡＭ（Random Access Memory）と、ＲＯＭ（Read Only Memory）と、フラッシュメモリと、ハードディスク装置と、入力ポートと、出力ポートとを備えたコンピュータユニットによって構成されている。
【００１７】
地図情報管理部５のＲＯＭには、各種制御定数や各種マップ等とともに、当該コンピュータユニットを地図情報管理部５として機能させるためのプログラムが記憶されている。すなわち、ＣＰＵがＲＯＭに記憶されたプログラムを実行することにより、当該コンピュータユニットは、地図情報管理部５として機能する。
【００１８】
地図情報管理部５の入力ポートには、ＧＮＳＳ（Global Navigation Satellite System）受信装置５３、不図示の加速度センサを含む各種センサ類が接続されている。
【００１９】
ＧＮＳＳ受信装置５３は、不図示のＧＮＳＳアンテナを介してＧＮＳＳ衛星からの電波を受信し、受信した電波に含まれる情報から、現在位置の緯度・経度等を取得する。加速度センサは、車両１の加速度を検出する。
【００２０】
地図情報管理部５と制御部６は、ＣＡＮ（Controller Area Network）等の規格に準拠した車内ＬＡＮ（Local Area Network）を介して制御信号等の信号の送受信を相互に行なう。
【００２１】
地図情報管理部５は、例えばハードディスク装置に記憶された、道路標識の情報、信号機の情報、道路の車線の情報などを含む静的な地図情報を道路リンク毎に管理する静的情報記憶部５１として機能する。
【００２２】
道路リンクは、例えば、交差点や道路の節点などのノードの、２つのノード間の道路区間を表す。
【００２３】
地図情報管理部５は、通信部４を介して、サーバ装置や路側通信装置などから道路交通情報、道路規制情報、道路工事情報、渋滞情報、事故情報、ＩＴＳ（Intelligent Transport Systems）情報、天候情報などの動的な情報を取得する動的情報取得部５２として機能する。
【００２４】
地図情報管理部５は、上述したＧＮＳＳ受信装置５３や加速度センサなどにより自車両の現在位置を検出することができる。
【００２５】
地図情報管理部５は、現在位置から現在位置の道路リンクを取得し、道路リンクに関連付けて記憶されている道路標識の情報や信号機の情報、道路種別の情報、道路属性の情報などの地図情報を取得する。
【００２６】
地図情報管理部５は、現在位置周辺の渋滞情報や事故情報などの交通情報、天候情報などを取得する。
【００２７】
地図情報管理部５は、取得した地図情報や交通情報、天候情報などを制御部６に送信する。地図情報管理部５は、例えば、道路リンクが変わったときや、サーバ装置や路側通信装置などから情報を取得したときなどに取得した地図情報や交通情報、天候情報などを制御部６に送信する。
【００２８】
制御部６は、ＣＰＵと、ＲＡＭと、ＲＯＭと、フラッシュメモリと、入力ポートと、出力ポートとを備えたコンピュータユニットによって構成されている。
【００２９】
制御部６のＲＯＭには、各種制御定数や各種マップ等とともに、当該コンピュータユニットを制御部６として機能させるためのプログラムが記憶されている。すなわち、ＣＰＵがＲＯＭに記憶されたプログラムを実行することにより、当該コンピュータユニットは、制御部６として機能する。
【００３０】
制御部６の入力ポートには、撮像部２を含む各種センサ類が接続されている。制御部６の出力ポートには、報知部３を含む各種制御対象類が接続されている。
【００３１】
制御部６は、撮像部２が撮像した画像データを読み込む画像読込部６１として機能する。制御部６は、画像読込部６１が読み込んだ画像データに所定の画像処理を行なう、画像処理部６２として機能する。
【００３２】
制御部６は、画像処理部６２が画像処理した画像データから所定の認識処理を行なう場合の、認識する対象物の設定などを行なう検出処理部６３として機能する。
【００３３】
制御部６は、検出処理部６３の設定に基づいて、画像処理部６２が画像処理した画像データから自車両前方の道路標識、文字、看板、人、自動車、自動車用信号機、歩行者用信号機、料金所のゲート、道路の車線などを認識する認識処理部６４として機能する。
【００３４】
制御部６は、認識処理部６４により認識された道路標識を報知部３により運転者に報知させる出力処理部６５として機能する。
【００３５】
制御部６は、車両１の走行する道路リンクの規制情報を判断する規制情報判断部６６として機能する。
【００３６】
制御部６は、認識処理部６４により道路標識が認識されると、報知部３により道路標識が存在することを報知させる。
【００３７】
報知部３は、例えば、図２に示すように、認識された道路標識のイメージを表示して、道路標識が存在することを報知する。
【００３８】
図２において、報知部３は、二つの領域ＡとＢに道路標識のイメージを表示する。例えば、Ａの領域には、図中矢印の元に示した道路標識のイメージを表示し、Ｂの領域には、図中矢印の元に示した道路標識のイメージを表示する。
【００３９】
制御部６は、報知部３により道路標識が存在することを報知している場合、所定の報知終了条件が満たされると、道路標識が存在することの報知を終了させる。
【００４０】
報知終了条件は、自車両が進路変更したこと、自車両の走行する道路リンクが変わったこと、などが含まれる。
【００４１】
制御部６は、画像認識処理により進入禁止標識が認識され、かつ地図情報管理部５に記憶された地図情報において自車両の進行方向に存在する少なくとも１つの道路リンクに一方通行道路であることを示す一方通行情報が含まれている場合、認識された進入禁止標識を報知部３に報知させる。例えば、自車両が十字路に向かって走行している場合、自車両の進行方向には、当該十字路のノードを起点として３つの道路リンクが存在する。この３つの道路リンクのうち少なくとも１つの道路リンクに一方通行情報が含まれている場合も、上述の場合に含まれる。
【００４２】
制御部６は、一方通行情報が含まれている道路リンクが現在の道路リンクと隣接している場合に、認識された進入禁止標識を報知部３に報知させるようにしてもよい。
【００４３】
制御部６は、画像認識処理により進入禁止標識が認識されたときに、報知部３に第１の報知を行なわせる。
【００４４】
制御部６は、画像認識処理により進入禁止標識が認識されたときに、地図情報管理部５に記憶された地図情報において自車両の進行方向に存在する少なくとも１つの道路リンクに一方通行情報が含まれていて、かつ自車両が認識された進入禁止標識を通過したと判定した場合、自車両の走行する道路区間は進入禁止区間であると判定し、報知部３に第１の報知とは異なる第２の報知を行なわせる。
【００４５】
ここで、第１の報知は、例えば、ランプの点灯であり、第２の報知は、例えば、ランプの点滅である。第１の報知及び第２の報知は、音声による報知や、警告表示による報知であってもよい。第１の報知は、進入禁止標識が存在することの報知であり、第２の報知は、逆走状態にあることの報知である。
【００４６】
制御部６は、進入禁止標識を報知部３により報知しているときに、画像認識処理により自車両の通行を禁止する特定標識以外の道路標識が認識されると、進入禁止標識の報知を終了させる。特定標識は、図３に示すような、車両の通行を禁止する道路標識である。特定標識として、自車両の進行方向と反対方向のみの通行を許可する一方通行標識や歩行者専用道路標識を含んでもよい。
【００４７】
制御部６は、進入禁止標識を報知部３により報知しているときに、画像認識処理により自車両の通行を禁止する特定標識以外の道路標識が認識されると、進入禁止標識の報知を変更させるようにしてもよい。報知の変更とは、例えば、ランプの点滅を点灯にしたり、表示を薄くしたり、表示を小さくしたりすることである。
【００４８】
進入禁止標識の報知とは、進入禁止標識の表示や、上述の第１の報知、上述の第２の報知を含む報知である。
【００４９】
制御部６は、進入禁止標識を報知部３により報知しているときに、画像認識処理により特定標識以外の道路標識が認識されておらず、かつ上述の報知終了条件が満たされた場合、進入禁止標識の報知を含め全ての道路標識に関する報知を終了する。
【００５０】
制御部６は、進入禁止標識を報知部３により報知しているときに、画像認識処理により特定標識以外の道路標識が認識されると、進入禁止標識の報知のみを終了または変更する。
【００５１】
以上のように構成された本実施例に係る運転支援装置による進入禁止標識報知処理について、図４を参照して説明する。なお、以下に説明する進入禁止標識報知処理は、制御部６が動作を開始すると開始され、予め設定された時間間隔で実行される。
【００５２】
ステップＳ１において、制御部６は、撮像部２により撮像された画像から、進入禁止標識を認識したか否かを判定する。進入禁止標識を認識していないと判定した場合、制御部６は、ステップＳ１の処理を繰り返す。
【００５３】
ステップＳ１において進入禁止標識を認識したと判定した場合、ステップＳ２において、制御部６は、進入禁止標識の第１の報知を報知部３に行なわせる。
【００５４】
ステップＳ３において、制御部６は、自車両の進行方向に存在する次の道路リンクに一方通行情報があるか否かを判定する。次の道路リンクに一方通行情報が無いと判定した場合、制御部６は、処理を終了する。
【００５５】
ステップＳ３において次の道路リンクに一方通行情報があると判定した場合、ステップＳ４において、制御部６は、自車両が認識された進入禁止標識を通過したか否かを判定する。進入禁止標識を通過していないと判定した場合、制御部６は、ステップＳ４の処理を繰り返す。
【００５６】
ステップＳ４において進入禁止標識を通過したと判定した場合、ステップＳ５において、制御部６は、進入禁止標識の第２の報知を報知部３に行なわせ、処理を終了する。
【００５７】
本実施例に係る運転支援装置による進入禁止標識報知終了処理について、図５を参照して説明する。なお、以下に説明する進入禁止標識報知終了処理は、制御部６が動作を開始すると開始され、予め設定された時間間隔で実行される。
【００５８】
ステップＳ１１において、制御部６は、進入禁止標識を報知中であるか否かを判定する。進入禁止標識を報知中でないと判定した場合、制御部６は、ステップＳ１１の処理を繰り返す。
【００５９】
ステップＳ１１において進入禁止標識を報知中であると判定した場合、ステップＳ１２において、制御部６は、特定標識以外の道路標識を認識したか否かを判定する。特定標識以外の道路標識を認識したと判定した場合、ステップＳ１３において、制御部６は、進入禁止標識のみの報知を終了させて、処理を終了する。
【００６０】
ステップＳ１２において特定標識以外の道路標識を認識していないと判定した場合、ステップＳ１４において、制御部６は、報知終了条件を満たしたか否かを判定する。報知終了条件を満たしていないと判定した場合、制御部６は、ステップＳ１２に処理を戻す。
【００６１】
ステップＳ１４において報知終了条件を満たしたと判定した場合、ステップＳ１５において、制御部６は、全ての道路標識の報知を終了させ、処理を終了する。
【００６２】
このように、撮像部２により撮像された画像から進入禁止標識が認識され、さらに自車両の進行方向にある次の道路リンクに一方通行情報が含まれていることを条件として進入禁止標識が存在することを報知するため、図６に示すように、図中Ｃで示す物体を進入禁止標識であると誤認識した場合であっても、自車両の進行方向にある次の道路リンクに一方通行情報が含まれていなければ、進入禁止標識が存在することの報知を行なわないため、画像認識処理において進入禁止標識でないものを進入禁止標識として誤認識した場合でも誤判定することなく、適切に進入禁止標識に関する報知を行なうことができる。
【００６３】
また、図６において、図中Ｃで示す物体を進入禁止標識であると誤認識し、自車両の進行方向にある次の道路リンクの情報が取得できない場合であっても、特定標識以外の道路標識Ｄを認識すれば、進入禁止標識が存在することの報知を終了するため、画像認識処理において進入禁止標識でないものを進入禁止標識として誤認識した場合でも誤判定することなく、適切に進入禁止標識に関する報知を行なうことができる。
【００６４】
制御部６は、画像認識処理により進入禁止標識が複数認識されたとき、自車両の中心を通って自車両の進行方向に延伸した直線と、進入禁止標識の通中心を通って自車両の進行方向に延伸した直線との自車両の進行方向と直行する方向の距離の、複数の進入禁止標識の平均値が所定の閾値以下である場合、自車両が走行中の道路に向けた進入禁止標識が存在すると判定し、当該標識を通過すると自車両が一方通行路を逆走していると判定する。
【００６５】
制御部６は、複数の進入禁止標識から自車両が走行中の道路に向けた進入禁止標識が存在すると判定し、自車両の進行方向に存在する少なくとも１つの道路リンクに一方通行情報が含まれていて、かつ自車両が認識された進入禁止標識を通過したと判定した場合、自車両の走行する道路区間は進入禁止区間であると判定する。
【００６６】
例えば、図７に示すように、Ｌ２の道路に対する複数の進入禁止標識Ｅ、Ｆが認識された場合、Ｌ１の道路を走行中の車両１は、複数の進入禁止標識との距離の平均値がＧの値となり閾値を超えて、自車両が走行中の道路に向けた進入禁止標識が存在すると判定されない。
【００６７】
Ｌ２の道路を走行中の車両は、複数の進入禁止標識との距離の平均値が閾値以下となり、自車両が走行中の道路に向けた進入禁止標識が存在すると判定される。
【００６８】
Ｌ３の道路を走行中の車両は、Ｌ１の道路と同様に、複数の進入禁止標識との距離の平均値が閾値を超えて、自車両が走行中の道路に向けた進入禁止標識が存在すると判定されない。
【００６９】
例えば、図８に示すように、Ｌ４の道路に対する進入禁止標識ＨとＬ５の道路に対する進入禁止標識Ｉの複数の進入禁止標識が認識された場合、Ｌ４の道路を走行中の車両１は、複数の進入禁止標識との距離の平均値がＪの値となり閾値以下であり、自車両が走行中の道路に向けた進入禁止標識が存在すると判定される。
【００７０】
Ｌ５の道路を走行中の車両も、複数の進入禁止標識との距離の平均値がＪと同じ値となり閾値以下であり、自車両が走行中の道路に向けた進入禁止標識が存在すると判定される。
【００７１】
このようにすることで、隣接する他の道路に対する進入禁止標識を、自車両が走行中の道路に対する進入禁止標識と誤認識することなく、適切に進入禁止標識に関する報知を行なうことができる。
【００７２】
このように、上述の実施例では、撮像部２により撮像された画像から進入禁止標識が認識され、さらに自車両の進行方向にある次の道路リンクに一方通行情報が含まれていることを条件として進入禁止標識が存在することを報知するため、画像認識処理において進入禁止標識でないものを進入禁止標識として誤認識した場合でも誤報知することなく、適切に進入禁止標識に関する報知を行なうことができる。
【００７３】
また、撮像部２により撮像された画像から進入禁止標識が認識され、さらに自車両の進行方向にある次の道路リンクに一方通行情報が含まれていて、かつ自車両が認識された進入禁止標識を通過したと判定した場合、自車両の走行する道路区間は進入禁止区間であると判定しているため、画像認識処理において進入禁止標識でないものを進入禁止標識として誤認識した場合でも誤判定することなく、適切に進入禁止標識に関する判定を行なうことができる。
【００７４】
また、進入禁止標識が認識されたときに第１の報知を行ない、その後その進入禁止標識を通過する際に、次の道路リンクに一方通行情報が含まれていることを条件として第２の報知を行なうため、進入禁止標識に関する報知をしつつ、その進入禁止標識の確実性が上がり、その進入禁止標識を通過した場合により注意を引く報知を行なうことができ、適切に進入禁止標識に関する報知を行なうことができる。
【００７５】
また、進入禁止標識や逆走状態にあることの報知を行なっている際に、自車両に向けた特定標識以外の道路標識が認識されると報知を終了するため、自車両が侵入しようとしている道路、または、自車両が走行している道路が進入禁止道路でない状況であるにもかかわらず、進入禁止標識や逆走状態にあることの誤報知を防止することができる。
【００７６】
例えば、自車両が進入禁止道路に進入していると判断し、その旨を報知している場合であっても、特定標識以外の道路標識の表側を認識した場合、自車両に向けた道路標識が存在することから、実際に自車両が走行している道路は進入禁止道路ではないと判定し、報知を終了または変更することができ、誤報知が継続することを防止することができる。
【００７７】
また、報知終了条件が満たされた場合は全ての道路標識に関する報知を終了するのに対し、特定標識以外の道路標識が認識され自車両が走行している道路が進入禁止道路でないと判定した場合は進入禁止標識の報知のみを終了または変更するため、進入禁止標識の誤報知の継続のみを防止することができ、正しい報知と誤報知とを適切に処理して運転者に正しい情報を提供することができる。
【００７８】
自車両が走行する道路が変化した場合を報知終了条件とすると、報知終了条件が満たされた場合と、特定標識以外の道路標識が認識され自車両が走行している道路が進入禁止道路でないと判定した場合とで報知終了する道路標識を異ならせることができ、正しい報知と誤報知とを適切に処理して運転者に正しい情報を提供することができる。
【００７９】
本実施例では、各種センサ情報に基づき制御部６が各種の判定や算出を行なう例について説明したが、これに限らず、通信部４から送信された各種センサの検出情報に基づき車外装置によって各種の判定や算出が行なわれ、その判定結果や算出結果を通信部４で受信して、その受信した判定結果や算出結果を用いて各種制御を行なってもよい。
【００８０】
本発明の実施例を開示したが、当業者によっては本発明の範囲を逸脱することなく変更が加えられうることは明白である。すべてのこのような修正及び等価物が次の請求項に含まれることが意図されている。
【符号の説明】
【００８１】
１  車両
２  撮像部
３  報知部
６  制御部
６４  認識処理部
６５  出力処理部
６６  規制情報判断部
【図１】
2019212190.tif 000003
【図２】
2019212190.tif 000004
【図３】
2019212190.tif 000005
【図４】
2019212190.tif 000006
【図５】
2019212190.tif 000007
【図６】
2019212190.tif 000008
【図７】
2019212190.tif 000009
【図８】
2019212190.tif 000010